(57)【要約】【課題】複製操作の有効或は無効を示す付加情報によって複製の制御を可能とした状態でコンテンツを配信し、著作権保護に配慮したコンテンツの配信を可能とする。【解決手段】コンテンツデータの配信を行うサーバ１０と、前記サーバ１０からネットワーク２０２を介してコンテンツデータを受信するクライアント３０とを有するコンテンツ配信システムであって、前記サーバ１０が、複製処理に関する付加情報を有したコンテンツデータを送信し、前記クライアント３０が、前記サーバ１０からコンテンツデータを受信して表示し、この表示したコンテンツに対して複製の命令を受け付けた場合に前記コンテンツデータから付加情報を検出し、検出した付加情報に基づいて複製処理の制御を行う。【選択図】　　　　　図１
2004062485.tif 000002
【特許請求の範囲】
【請求項１】
クライアントに配信されるコンテンツデータに、クライアントでの当該コンテンツデータ又は当該コンテンツデータに基づいて表示されるコンテンツに対する複製処理を制御するための付加情報を挿入する付加手段と、
付加情報が付加されたコンテンツデータをクライアントへ向けて送出する送出手段と、
を含むネットワークノード。
【請求項２】
前記付加手段は、クライアントでのコンテンツデータを保存する処理の有効又は無効を示す情報を含む付加情報をコンテンツデータに付加する請求項１記載のネットワークノード。
【請求項３】
前記ネットワークノードは、コンテンツデータをクライアントに配信するサーバである、
請求項１記載のネットワークノード。
【請求項４】
前記ネットワークノードは、コンテンツデータを中継するゲートウェイである、
請求項１記載のネットワークノード。
【請求項５】
コンテンツデータの配信を行うサーバと、前記サーバからネットワークを介してコンテンツデータを受信するクライアントとを有するコンテンツ配信システムであり、
前記サーバが、複製処理に関する付加情報を有したコンテンツデータを送信するコンテンツデータ送信部を備え、
前記クライアントが、前記サーバからコンテンツデータを受信するコンテンツデータ受信部と、
前記コンテンツデータ受信部で受信したコンテンツを表示する表示制御部と、
前記表示制御部にて表示させたコンテンツに対して複製の命令を受け付けた場合に前記コンテンツデータから付加情報を検出する付加情報検出部と、
前記付加情報検出部で検出した付加情報に基づいて複製処理の制御を行う複製処理制御部と、
を備えることを特徴とするコンテンツ配信システム。
【発明の詳細な説明】
【０００１】
【発明の属する技術分野】
本発明は、コンテンツデータの配信を行うサーバと、このサーバからネットワークを介して配信されたコンテンツデータを再生するクライアントとを有するコンテンツ配信システムにおけるコンテンツの配信技術に関するものである。
【０００２】
【従来の技術】
ネットワークを介したコンテンツの配信の仕組みとしては、ＨＴＴＰ等の通信プロトコルを利用して、サーバにあるコンテンツをクライアントが受信し、ディスプレイ上に表示するというものが一般的である。
【０００３】
【発明が解決しようとする課題】
近年のネットワークの広帯域化に伴い、上述のようなコンテンツの配信の仕組みを用いて一般家庭のユーザが、高画質のデジタル画像データや動画像データ等のコンテンツをネットワーク経由で容易に受信することが可能となってきている。
【０００４】
しかしながら、従来のコンテンツ配信の仕組みでは、コンテンツの表示に使用するブラウザ等のメニューにあるコピーコマンドや、オペレーティングシステム（例えばＭｉｃｒｏｓｏｆｔ社のＷｉｎｄｏｗｓ）に備えられているＰｒｉｎｔ　Ｓｃｒｅｅｎ等の画面キャプチャコマンドによって、クライアント側で自由に画像や動画像を保存すること、即ち複製が可能となっているため、コンテンツの著作権を保護することが困難であった。
【０００５】
本発明は、このような従来の技術の問題点に鑑みてなされたものである。即ち、本発明の課題は、複製操作の有効或は無効を示す付加情報によって複製の制御を可能とした状態でコンテンツを配信する技術を提供することにある。これにより、著作権保護に配慮したコンテンツの配信を行えるようにしている。
【０００６】
【課題を解決するための手段】
本発明は前記課題を解決するために、以下の手段を採用した。
【０００７】
即ち、本発明のネットワークノードは、クライアントに配信されるコンテンツデータに、クライアントでの当該コンテンツデータ又は当該コンテンツデータに基づいて表示されるコンテンツに対する複製処理を制御するための付加情報を挿入する付加手段と、
付加情報が付加されたコンテンツデータをクライアントへ向けて送出する送出手段と、を含むものである。
【０００８】
前記付加手段は、クライアントでのコンテンツデータを保存する処理（即ちコンテンツを複製する処理、以下便宜上、複製処理とも称する）の有効又は無効を示す情報を含む付加情報をコンテンツデータに付加することが好ましい。
【０００９】
前記ネットワークノードは、コンテンツデータをクライアントに配信するサーバであっても良い。
【００１０】
前記ネットワークノードは、コンテンツデータを中継するゲートウェイであっても良い。
【００１１】
また、本発明のコンテンツ配信システムは、コンテンツデータの配信を行うサーバと、前記サーバからネットワークを介してコンテンツデータを受信するクライアントとを有するシステムであって、
前記サーバが、複製処理に関する付加情報を有したコンテンツデータを送信するコンテンツデータ送信部を備え、
前記クライアントが、前記サーバからコンテンツデータを受信するコンテンツデータ受信部と、
前記コンテンツデータ受信部で受信したコンテンツを表示する表示制御部と、前記表示制御部にて表示させたコンテンツに対して複製の命令を受け付けた場合に前記コンテンツデータから付加情報を検出する付加情報検出部と、
前記付加情報検出部で検出した付加情報に基づいて複製処理の制御を行う複製処理制御部と、を備えるものである。
【００１２】
また、本発明のコンテンツ配信システムは、コンテンツデータの配信を行うサーバと、コンテンツデータの配信を中継するゲートウェイと、前記サーバからネットワークを介してコンテンツデータを受信するクライアントとを有するシステムであって、
前記サーバが、コンテンツデータを送信するコンテンツデータ送信部を備え、
前記ゲートウェイが、前記コンテンツデータに、複製処理に関する付加情報を挿入する付加情報挿入部を備え、
前記クライアントが、前記サーバからコンテンツデータを受信するコンテンツデータ受信部と、
前記コンテンツデータ受信部で受信したコンテンツを表示する表示制御部と、
前記表示制御部にて表示させたコンテンツに対して複製の命令を受け付けた場合に前記コンテンツデータから付加情報を検出する付加情報検出部と、
前記付加情報検出部で検出した付加情報に基づいて複製処理の制御を行う複製処理制御部と、を備えるものである。
【００１３】
なお、上記ゲートウェイは、付加情報をコンテンツデータに付加し、このコンテンツデータをサーバからクライアントへ中継する構成を有する装置であり、該構成を有していれば所謂ルータ等の中継装置であっても良い。
【００１４】
また、本発明のコンテンツ配信システムは、コンテンツデータの配信を行うサーバと、前記サーバから配信されたコンテンツデータに基づいてコンテンツを表示するクライアントとを有するシステムであって、
前記サーバが、複製処理に関する付加情報を有したコンテンツデータを配信用の記憶媒体に記憶させるコンテンツデータ書込部を備え、
前記クライアントが、前記配信用の記憶媒体からコンテンツデータを読み出すコンテンツデータ読み出し部と、
前記コンテンツデータ読み出し部で読み出したコンテンツを表示する表示制御部と、
前記表示制御部にて表示させたコンテンツに対して複製の命令を受け付けた場合に前記コンテンツデータから付加情報を検出する付加情報検出部と、
前記付加情報検出部で検出した付加情報に基づいて複製処理の制御を行う複製処理制御部と、を備えるものである。
【００１５】
また、本発明のクライアントは、ネットワークを介してサーバからコンテンツデータの配信を受ける際に、
前記サーバからコンテンツデータを受信するコンテンツデータ受信部と、
前記コンテンツデータ受信部で受信したコンテンツを表示する表示制御部と、
前記表示制御部にて表示させたコンテンツに対して複製の命令を受け付けた場合に前記コンテンツデータから付加情報を検出する付加情報検出部と、
前記付加情報検出部で検出した付加情報に基づいて複製処理の制御を行う複製処理制御部と、を備えるものである。
【００１６】
また、本発明のプログラムは、ネットワークを介してサーバからコンテンツデータの配信を受けるクライアントにて運用され、
複製処理に関する付加情報を有した前記コンテンツデータを受信するステップと、
前記コンテンツデータに基づいてコンテンツを表示するステップと、
前記コンテンツに対する複製の命令を受け付けた場合に前記付加情報に基づいて複製処理を行うステップと、
を前記クライアントに実行させるものである。
【００１７】
また、本発明は、上記のプログラムを記憶したコンピュータ読み取り可能な記憶媒体であっても良い。
【００１８】
なお、前記付加情報は、電子透かし技術を用いてコンテンツデータに挿入することが好ましい。
【００１９】
また、前記付加情報は、画面キャプチャ操作の有効又は無効を制御する情報と、コンテンツデータのコピー操作の有効又は無効を制御する情報との、少なくとも一つを含むことが好ましい。この画面キャプチャ操作の有効又は無効を制御する情報と、コンテンツデータのコピー操作の有効又は無効を制御する情報とは、１つ或は別々の情報として電子透かし技術を用いてコンテンツデータに挿入することが好ましい。
【００２０】
また、付加情報が検出できない場合、コンテンツの表示或は複製処理を禁止する構成としても良い。
【００２１】
上述のように、本発明では、コンテンツデータの複製処理に関する付加情報を付加して配信することにより、例えば、画面のキャプチャコマンドや、コピーコマンドによる処理をコンテンツの複製を禁止することが可能となり、コンテンツの配信者や著作権者等が意図するコンテンツの著作権保護を行うことが可能になる。
【００２２】
また、電子透かし技術を用いることで、クライアント側で目に見えない形でコンテンツに付加情報を挿入することが可能になり、付加情報を削除する等の行為を防ぐことが可能になる。
【００２３】
また、前記付加情報として、画面キャプチャ操作の有効又は無効を制御する情報と、コンテンツデータのコピー操作の有効又は無効を制御する情報との、少なくとも一つを含むことにより、例えば、動画像コンテンツの著作権者が、コンテンツの重要な部分は画面キャプチャされたくないが、それ以外の部分は画面キャプチャされても構わないと考えている場合に、重要な部分のフレームに対して「画面キャプチャ操作無効」、それ以外のフレームは「画面キャプチャ操作有効」の付加情報を挿入することが可能となる。これにより、クライアント側において、Ｐｒｉｎｔ　Ｓｃｒｅｅｎ等の画面キャプチャのコマンドが発行された時に、コンテンツの付加情報を参照し、その情報に従って画面キャプチャ操作を行うか否かを決定する。
【００２４】
これにより、更に詳細に配信者の意図するコンテンツの著作権保護を行うことが可能となる。
【００２５】
また、付加情報が検出できない場合には、コンテンツの改ざんが行われているとみなしてコンテンツの表示或は複製処理を禁止することにより、コンテンツの著作権保護を効果的に行うことが可能になる。
【００２６】
【発明の実施の形態】
以下、図面を参照して本発明の好適な実施の形態を説明する。
【００２７】
《第１実施形態》
まず、本発明の第１実施形態に係るコンテンツ配信システムを図１から図７の図面に基づいて説明する。図１は本発明に係る第１実施形態としてのコンテンツ配信システムの説明図であり、図２はサーバ１０によるコンテンツ配信手順の説明図であり、図３はコンテンツ配信に係るクライアント３０の処理手順の説明図であり、図４はクライアントにおける複製処理手順の説明図であり、図５はクライアントにおける複製処理手順の説明図であり、図６はクライアントにおける複製処理手順の説明図であり、図７は付加情報の説明図である。
【００２８】
〈コンテンツ配信システムの概略〉
図１に本実施形態のコンテンツ配信システムの概念図を示す。このコンテンツ配信システムは、コンテンツデータの配信を行うサーバ１０と、前記サーバ１０からインターネット等のネットワークを介してコンテンツデータを受信するクライアント３０とを有している。
【００２９】
サーバ１０は、コンテンツデータに付加情報を付加してクライアント３０に送信する。
【００３０】
このコンテンツデータを受信したクライアント３０は、該データに従って表示制御部に画像を表示し、コンテンツを再生する。そして、クライアント３０は、当該コンテンツデータを保存する処理を受け付けた場合、例えば画面キャプチャコマンド等の複製命令を受け付けた場合に、コンテンツデータから付加情報を検出し、この付加情報に基づいてコンテンツデータを複製する処理（複製処理）を行うか禁止するかを決定するように制御している。
【００３１】
これにより、配信者が意図した著作権保護をクライアント上で図れるようにしている。
【００３２】
〈システム構成〉
サーバ１０は、ＣＰＵ、メモリ、ハードディスク及び通信制御部等を備える一般的なコンピュータであり、本実施形態における主要な構成要素としては図１に示すように、コンテンツデータ蓄積部１１、データ読み出し制御部１２、付加情報挿入部（付加手段）１３、コンテンツデータ送信部（送出手段）１４を有している。
【００３３】
また、クライアント３０は、ユーザーが使用するコンピュータであり、本体３内に、ＣＰＵ（ｃｅｎｔｒａｌ　ｐｒｏｃｅｓｓｉｎｇ　ｕｎｉｔ）やメインメモリ等よりなる演算処理部３７、演算処理の為のソフトウェアを記憶したハードディスク（記憶手段）３６、データの入出力部である入出力ポート３５、ネットワークに接続して通信を行う為の通信制御部３８等が備えられている。
【００３４】
本体３内のハードディスク３６には、オペレーティングシステム（ＯＳ）やアプリケーションソフトがインストールされている。
【００３５】
入出力ポート３５には、キーボード３４、ポインティングデバイス（不図示）等の入力手段や、ディスプレイ４１、スピーカ（不図示）等の出力手段が接続されている。
【００３６】
通信制御部（ＣＣＵ：Ｃｏｍｍｕｎｉｃａｔｉｏｎ　Ｃｏｎｔｒｏｌ　Ｕｎｉｔ）３８は、演算処理部３７に制御されて、サーバへのコンテンツ配信要求の送信や、サーバからのコンテンツデータの受信を行う。即ち、本実施形態におけるコンテンツデータ受信部３１として機能している。
【００３７】
演算処理部３７は、周辺機器からの情報やアプリケーションソフトに基づく処理により、付加情報検出部３３や複製処理制御部３９、表示制御部３２等の機能を実現している。
【００３８】
前記表示制御部３２の機能として演算処理部３７は、前記コンテンツデータ受信部３１で受け付けたコンテンツデータを復号化し、該コンテンツデータに基づいてディスプレイ４１に画像を表示させる等、コンテンツの再生を行う。
【００３９】
また、前記付加情報検出部の機能として演算処理部３７は、前記表示制御部３２にて表示させたコンテンツに対して複製の命令を受け付けた場合に前記コンテンツデータから付加情報を検出する。
【００４０】
また、複製処理制御部３９の機能として演算処理部３７は、前記付加情報検出部３３で検出した付加情報に基づいて複製処理の制御を行う。例えば、画面キャプチャコマンドが入力された場合に、付加情報がキャプチャを無効とする内容でれば、コマンドを無視して処理を終了する。逆に付加情報がキャプチャを有効とする内容であれば、画面キャプチャを行う。
【００４１】
〈コンテンツ配信手順〉
本実施形態のコンテンツ配信システムにおけるコンテンツ配信の基本的な流れについて説明する。ここで使用するコンテンツは動画像コンテンツであるとする。この動画像コンテンツはＭＰＥＧ等の圧縮符号化方法により符号化されてコンテンツデータ蓄積部１１に蓄積されている。なお、図２は、サーバ１０におけるコンテンツデータ配信手順の説明図、図３は、コンテンツデータの配信に係るクライアント３０の処理手順の説明図である。
【００４２】
ユーザが、クライアント３０を操作してビューアやメディアプレーヤといったアプリケーションソフト（閲覧用のプログラム）の起動を指示すると、クライアント３０は、ハードディスク３６から当該プログラムを読み出し、図２に示すように先ず、コンテンツ配信要求をサーバ１０に送信する（ステップＳ２１）。
【００４３】
これに対してサーバ１０は、コンテンツデータ読み出し部１２を利用して、コンテンツデータ蓄積部１１から動画像コンテンツデータの読み出しを行う（ステップＳ１１）。
【００４４】
該動画像コンテンツを読み出したサーバ１０は、付加情報挿入部１３において、動画像コンテンツの各フレームに付加情報として画面キャプチャ操作制御情報とコピー操作制御情報を非可視の電子透かし技術（例えば、特開平１０−２３４０１２等の方法）を利用して挿入する（ステップＳ１２）。
【００４５】
そしてサーバ１０は、前記付加情報を挿入したコンテンツデータをコンテンツデータ送信部１４からクライアント３０に向けて送信する（ステップＳ１３）。
【００４６】
この動画像コンテンツデータがネットワークを介して配信されると、クライアント３０は、コンテンツデータ受信部３１によってこれを受信する（ステップＳ２２）。
【００４７】
クライアント３０は、この動画像コンテンツデータを復号し、動画像をディスプレイ４１に表示すると共に、音声をスピーカから出力するなど、ユーザが閲覧できるようにコンテンツを再生する（ステップＳ２３）。
【００４８】
このディスプレイ４１に表示しているコンテンツに対し、ユーザがキーボード３４やポインティングデバイス（マウス等）を操作してＰｒｉｎｔ　Ｓｃｒｅｅｎ等の画面キャプチャコマンドやコピーコマンド等の複製の命令を入力し、この複製の命令を表示制御部３２で受け付けると、クライアント３０は、付加情報検出部３３により、前記コンテンツデータに挿入されている付加情報を検出し、その情報に従って、複製処理制御部３９により画面キャプチャ操作やコピー操作等の複製処理を行う（ステップＳ２４）。
【００４９】
〈クライアント３０における複製処理〉
次に、このクライアント３０における複製処理の手順について詳細に説明する。
【００５０】
図４は、付加情報として画面キャプチャ操作の有効又は無効を示す情報が含まれている場合のフローチャートである。
【００５１】
ステップＳ１０１でユーザから画面キャプチャコマンドが入力され、該コマンドを表示制御部３２が受け付けると、クライアント３０は付加情報検出部３３により、透かしとして挿入されている画面キャプチャ操作制御情報（付加情報）をコンテンツデータから検出する（ステップＳ１０２）。
【００５２】
クライアント３０は、複製処理制御部３９により、ステップＳ１０２で透かし（画面キャプチャ操作制御情報）が検出されたかどうかの判定をステップＳ１０３で行う。
【００５３】
画面キャプチャ操作制御情報が検出された場合は、ステップＳ１０４で画面キャプチャ操作が可能かどうかの判断を行い、可能である場合は画面キャプチャ操作を行う（Ｓ１０５）。
【００５４】
一方、ステップＳ１０３で透かしが検出されない、またステップＳ１０４で画面キャプチャ操作が禁止であると判断された場合は、ステップＳ１０６で「画面キャプチャ禁止」である旨のダイアログ、またはメッセージを表示し、画面キャプチャコマンドを無視する（Ｓ１０７）。
【００５５】
次に、コンテンツデータに画面キャプチャ操作制御情報とコピー操作制御情報を一つの付加情報として付加している場合の画面キャプチャ操作の流れ（複製処理手順）について、図５のフローチャートを用いて説明する。
【００５６】
ステップＳ２０１でユーザから画面キャプチャコマンドが入力され、該コマンドを表示制御部３２が受け付けると、クライアント３０は、付加情報検出部３３により、透かしとして挿入されている付加情報をコンテンツデータから検出する（Ｓ２０２）。
【００５７】
クライアント３０は、複製処理制御部３９により、ステップＳ２０２で透かし（付加情報）が検出されたかどうかの判断をステップＳ２０３で行う。
【００５８】
透かしが検出された場合は、ステップＳ２０４でコピー操作が可能であるかどうかの判断を行い、可能である場合はステップＳ２０５で画面キャプチャ操作が可能であるかどうかの判断を行う。ステップＳ２０５で画面キャプチャ操作が可能である場合はステップＳ２０６で画面キャプチャ操作を行う。
【００５９】
一方で、ステップＳ２０３で透かしが検出されない、またステップＳ２０４でコンテンツのコピー操作が禁止、ステップＳ２０５で画面キャプチャ操作が禁止であると判断された場合は、ステップＳ２０７で「画面キャプチャ禁止」である旨のダイアログ、またはメッセージを表示し、画面キャプチャコマンドを無視する（Ｓ２０８）。
【００６０】
次に、コンテンツデータに第一の付加情報としてコピー操作制御情報を、第二の付加情報として画面キャプチャ操作制御情報を別々に付加している場合の複製処理の流れ（複製処理手順）について、図６のフローチャートを用いて説明する。
【００６１】
ステップＳ３０１でユーザから画面キャプチャコマンドが表示制御部に入力され、該コマンドを表示制御部３２が受け付けると、クライアント３０は付加情報検出部３３により透かしとして挿入されている第一の付加情報（コピー操作制御情報）の検出を行う（Ｓ３０２）。
【００６２】
クライアント３０は、複製処理制御部３９により、ステップＳ３０２で第一の透かしが検出されたかどうかの判定をステップＳ３０３で行う。第一の透かしが検出された場合には、更にステップＳ３０４でコピー操作が可能であるかどうかの判断を行い、可能である場合にはステップＳ３０５で第二の付加情報（画面キャプチャ操作制御情報）の検出を行う。
【００６３】
クライアント３０は、ステップＳ３０５で第二の透かしが検出されたかどうかの判断をステップＳ３０６で行う。第二の透かしが検出された場合は、ステップＳ３０７で画面キャプチャ操作が可能であるかどうかの判断を行う。ステップＳ３０７で画面キャプチャ操作が可能である場合はステップＳ３０８で画面キャプチャ操作を行う。
【００６４】
一方、ステップＳ３０３とステップＳ３０６で透かしが検出されないと判断した場合、またステップＳ３０４でコンテンツのコピー操作が禁止、ステップＳ３０７で画面キャプチャ操作が禁止であると判断された場合は、ステップＳ３０９で「画面キャプチャ禁止」である旨のダイアログ、またはメッセージを表示し、画面キャプチャコマンドを無視する（Ｓ３１０）。
【００６５】
次に付加情報の例について、図７を用いて説明する。付加情報は３ビットで構成され、１ビット目が０の場合は、コピー操作制御情報、画面キャプチャ操作制御情報のどちらかを制御することを示し、１の場合はどちらも制御することを示す。
【００６６】
１ビット目が０の場合、２ビット目は制御対象を示し、１の場合はコピー操作、０の場合は画面キャプチャ操作を示す。この場合３ビット目は、コピー操作または画面キャプチャ操作の有効・無効を示し、１の場合は有効、０の場合は無効を示す。
【００６７】
一方、１ビット目が１の場合、２ビット目はコピー操作制御情報を示し、１の場合はコピー操作有効、０の場合はコピー操作無効を示す。この場合３ビット目は、画面キャプチャ制御情報を示し、１の場合は画面キャプチャ操作の有効、０の場合は画面キャプチャ操作の無効を示す。
【００６８】
このように本実施形態によれば、コンテンツに画面キャプチャ操作の有効・無効を制御する情報やコピー操作の有効・無効を制御する情報を電子透かし技術を利用して付加・配信し、クライアントでコンテンツに付加されている付加情報に従い著作権を侵害するような画面キャプチャ操作やコピー操作を制限することが可能になり、コンテンツの著作権者の意図でコンテンツの著作権保護を行うことが可能になる。
【００６９】
なお、本実施形態では、サーバ１０において、コンテンツデータを読み出す毎に付加情報を挿入する例を示したが、これに限らず、予め付加情報を挿入したコンテンツデータをコンテンツデータ蓄積部に記憶しておき、読み出したコンテンツデータをそのままクライアントに送信するように、付加情報挿入部を省略した構成としても良い。
【００７０】
また、コンテンツデータは、動画像に限らず、画像（静止画）やドキュメント（文書）等、表示制御部により表示させることが可能なデータであれば良い。
【００７１】
《第２実施形態》
次に、本発明の第２実施形態としてのコンテンツ配信システムについて図８を用いて説明する。前述の実施形態では、コンテンツデータに付加情報を付加するネットワークノードとしてサーバを用いた例を示したが、本実施形態は、この付加情報を付加するネットワークノードとしてサーバからのコンテンツデータを中継するゲートウェイを用いた例を示している。なお、前述の実施形態と同一の要素には同符号を付して再度の説明を省略している。
【００７２】
本実施形態のコンテンツ配信システムは、コンテンツデータを送信するサーバ１００と、該コンテンツデータを中継するゲートウェイ３００と、クライアント３０とを有している。
【００７３】
サーバ１００は、コンテンツデータ読み出し制御部１２によりコンテンツデータ蓄積部１１からコンテンツデータを読み出し、このコンテンツデータをコンテンツデータ送信部（送出手段）１４によりネットワークを介してクライアント宛てに送信する。
【００７４】
ゲートウェイ３００は、復号部３０１、付加情報挿入部（付加手段）３０２、符号化部３０３を有しており、サーバ１００から送信されたコンテンツデータを中継する際に付加情報を挿入する。
【００７５】
クライアント３０は、前記第１実施形態と同一である。
【００７６】
本実施形態のコンテンツ配信システムにおけるコンテンツ配信の流れについて説明する。ここで、使用するコンテンツは上記と同様に圧縮符号化された動画像コンテンツであるとする。
【００７７】
クライアント３０が、サーバ１００に対してコンテンツ配信の要求を行うと、サーバ１００は、コンテンツデータ蓄積部１１からコンテンツデータ読み出し部１２を利用して、動画像コンテンツデータの読み出しを行う。
【００７８】
サーバ１００は、読み出した動画像コンテンツをコンテンツデータ送信部１４からゲートウェイ３００に送信する。
【００７９】
ゲートウェイ３００は、サーバ１００から送信された動画像コンテンツデータを受信し、復号部３０１で復号した後に、付加情報挿入部３０２において、動画像コンテンツの各フレームに画面キャプチャ操作制御情報とコピー操作制御情報を非可視の電子透かし技術を利用して挿入し、符号化部３０３で再符号化を行いクライアント３０に送信する。
【００８０】
クライアント３０では、コンテンツデータ受信部３１において、ネットワーク２０２を介して送信された動画像コンテンツデータを受信し、表示制御部３２において、動画像コンテンツデータを復号し、このコンテンツデータに基づく動画像（コンテンツ）をディスプレイ４１に表示してユーザの閲覧に供する。
【００８１】
そして、このディスプレイ４１に表示しているコンテンツに対し、ユーザがキーボード３４やポインティングデバイス（マウス等）を操作してＰｒｉｎｔ　Ｓｃｒｅｅｎ等の画面キャプチャコマンドやコピーコマンド等の複製の命令を入力し、この複製の命令を表示制御部３２で受け付けると、クライアント３０は、付加情報検出部３３により、前記コンテンツデータに挿入されている付加情報を検出し、その付加情報に従って、複製処理制御部３９により画面キャプチャ操作やコピー操作等の複製処理を行う。
【００８２】
なお、クライアント３０における複製処理手順は、前述の図４〜図６に示した手順と同じである。
【００８３】
このように本実施形態においても、複製処理の制御が可能な状態でコンテンツを配信することができる。これにより、著作権保護に配慮したコンテンツの配信を行うことができる。
【００８４】
また、本実施形態では、付加情報の挿入をゲートウェイで行っているので、複数のサーバからコンテンツを配信する場合、複数のサーバが夫々付加情報挿入部を有する必要がなく、ゲートウェイで一括して付加情報の挿入を行うことができ、システムの簡素化を図ることができる。
【００８５】
また、付加情報を挿入するゲートウェイと、付加情報を挿入しないゲートウェイとを設け、サーバからコンテンツデータを送信する際に、どちらのゲートウェイを経由させるかを選択することによって、複製処理を制限するか否かを選択するように構成しても良い。
【００８６】
《第３実施形態》
次に、本発明の第２実施形態としてのコンテンツ配信システムについて図９を用いて説明する。本実施形態は、前述の実施形態と比べてコンテンツデータを記憶媒体に記憶させて配布する点が異なり、その他の構成は略同じである。なお、前述の実施形態と同一の要素には同符号を付して再度の説明を省略している。
【００８７】
本実施形態のコンテンツ配信システムは、コンテンツデータを記憶媒体（メディア）６００に記憶して配信するサーバ５００と、該メディア６００からコンテンツデータを読み出すクライアント７００とを有している。
【００８８】
サーバ５００は、コンテンツデータ蓄積部１１、コンテンツデータ読み出し部１２、付加情報挿入部１３、コンテンツデータ書込部５０４を有している。
【００８９】
また、クライアント７００は、コンテンツデータ読み出し部７０１、表示制御部３２、付加情報検出部３３、複製処理制御部３９等を有している。
【００９０】
本実施形態のコンテンツ配信システムにおけるコンテンツ配信の流れについて説明する。ここで、使用するコンテンツは上記と同様に圧縮符号化された動画像コンテンツであるとする。
【００９１】
サーバ５００は、コンテンツデータ蓄積部１１からコンテンツデータ読み出し部１２を利用して、動画像コンテンツデータの読み出しを行う。
【００９２】
サーバ５００は、付加情報挿入部１３により動画像コンテンツデータの各フレームに画面キャプチャ操作制御情報とコピー操作制御情報を非可視の電子透かし技術を用いて挿入し、該コンテンツデータをコンテンツデータ書込部５０４でメディア６００に書き込む。
【００９３】
ユーザが郵送や出版物の購入によりメディア６００を取得してクライアント７００にセットすると、クライアント７００は、コンテンツデータ読み出し部７０１により、メディア６００に格納されているコンテンツデータを読み出し、表示制御部３２にて動画像コンテンツデータを復号し、該コンテンツデータに基づく動画像をディスプレイ４１に表示する等して、コンテンツをユーザの閲覧に供する。
【００９４】
このディスプレイ４１に表示しているコンテンツに対し、ユーザがキーボード３４やポインティングデバイス（マウス等）を操作してＰｒｉｎｔ　Ｓｃｒｅｅｎ等の画面キャプチャコマンドやコピーコマンド等の複製の命令を入力し、この複製の命令を表示制御部３２で受け付けると、クライアント７００は、付加情報検出部３３により、前記コンテンツデータに挿入されている付加情報を検出し、その付加情報に従って、複製処理制御部３９により画面キャプチャ操作やコピー操作等の複製処理を行う。
【００９５】
なお、クライアント７００における複製処理手順は、前述の図４〜図６に示した手順と同じである。
【００９６】
このように本実施形態においても、複製処理の制御が可能な状態でコンテンツを配信することができる。これにより、著作権保護に配慮したコンテンツの配信を行うことができる。
【００９７】
《その他の実施形態》
（付記１）
クライアントに配信されるコンテンツデータに、クライアントでの当該コンテンツデータ又は当該コンテンツデータに基づいて表示されるコンテンツに対する複製処理を制御するための付加情報を挿入する付加手段と、
付加情報が付加されたコンテンツデータをクライアントへ向けて送出する送出手段と、
を含むネットワークノード。
（付記２）
前記付加手段は、クライアントでのコンテンツデータを保存する処理の有効又は無効を示す情報を含む付加情報をコンテンツデータに付加する付記１記載のネットワークノード。
（付記３）
前記付加手段は、クライアントでコンテンツデータに基づいて表示されるコンテンツに対するキャプチャ換作の有効又は無効を示す情報を含む付加情報をコンテンツデータに付加する、
付記１記載のネットワークノード。
（付記４）
前記付加手段は、クライアントでのコンテンツデータのコピー操作の有効又は無効を示す情報を含む、
付記１記載のネットワークノード。
（付記５）
前記付加手段は、クライアントでコンテンツデータに基づいて表示されるコンテンツに対するキャプチャ換作の有効又は無効を示す情報と、クライアントでのコンテンツデータのコピー操作の有効又は無効を示す情報とを含む付加情報をコンテンツデータに付加する、
付記１記載のネットワークノード。
（付記６）
前記付加手段は、電子透かし技術を用いて付加情報をコンテンツデータに付加する、
付記１記載のネットワークノード。
（付記７）
前記ネットワークノードは、コンテンツデータをクライアントに配信するサーバである、
付記１記載のネットワークノード。
（付記８）
前記ネットワークノードは、コンテンツデータを中継するゲートウェイである、
付記１記載のネットワークノード。
（付記９）
コンテンツデータの配信を行うサーバと、前記サーバからネットワークを介してコンテンツデータを受信するクライアントとを有するコンテンツ配信システムであり、
前記サーバが、複製処理に関する付加情報を有したコンテンツデータを送信するコンテンツデータ送信部を備え、
前記クライアントが、前記サーバからコンテンツデータを受信するコンテンツデータ受信部と、
前記コンテンツデータ受信部で受信したコンテンツを表示する表示制御部と、
前記表示制御部にて表示させたコンテンツに対して複製の命令を受け付けた場合に前記コンテンツデータから付加情報を検出する付加情報検出部と、
前記付加情報検出部で検出した付加情報に基づいて複製処理の制御を行う複製処理制御部と、
を備えることを特徴とするコンテンツ配信システム。
（付記１０）
コンテンツデータの配信を行うサーバと、コンテンツデータの配信を中継するゲートウェイと、前記サーバからネットワークを介してコンテンツデータを受信するクライアントとを有するコンテンツ配信システムであり、
前記サーバが、コンテンツデータを配信する配信部を備え、
前記ゲートウェイが、前記コンテンツデータに、複製処理に関する付加情報を挿入する付加情報挿入部を備え、
前記クライアントが、前記サーバからコンテンツデータを受信するコンテンツデータ受信部と、
前記コンテンツデータ受信部で受信したコンテンツを表示する表示制御部と、
前記表示制御部にて表示させたコンテンツに対して複製の命令を受け付けた場合に前記コンテンツデータから付加情報を検出する付加情報検出部と、
前記付加情報検出部で検出した付加情報に基づいて複製処理の制御を行う複製処理制御部と、
を備えることを特徴とするコンテンツ配信システム。
（付記１１）
コンテンツデータの配信を行うサーバと、前記サーバから配信されたコンテンツデータに基づいてコンテンツを表示するクライアントとを有するコンテンツ配信システムであり、
前記サーバが、複製処理に関する付加情報を有したコンテンツデータを配信用の記憶媒体に記憶させる配信部を備え、
前記クライアントが、前記配信用の記憶媒体からコンテンツデータを読み出すコンテンツデータ読み出し部と、
前記コンテンツデータ読み出し部で読み出したコンテンツを表示する表示制御部と、
前記表示制御部にて表示させたコンテンツに対して複製の命令を受け付けた場合に前記コンテンツデータから付加情報を検出する付加情報検出部と、
前記付加情報検出部で検出した付加情報に基づいて複製処理の制御を行う複製処理制御部と、
を備えることを特徴とするコンテンツ配信システム。
（付記１２）
ネットワークを介してサーバからコンテンツデータの配信を受けるクライアントであり、
前記サーバからコンテンツデータを受信するコンテンツデータ受信部と、
前記コンテンツデータ受信部で受信したコンテンツを表示する表示制御部と、
前記表示制御部にて表示させたコンテンツに対して複製の命令を受け付けた場合に前記コンテンツデータから付加情報を検出する付加情報検出部と、
前記付加情報検出部で検出した付加情報に基づいて複製処理の制御を行う複製処理制御部と、
を備えることを特徴とするクライアント。
（付記１３）
配信用の記憶媒体からコンテンツデータを読み出してコンテンツの表示を行うクライアントであって、
前記記憶媒体から、複製処理に関する付加情報を有したコンテンツデータを読み出すコンテンツ読み出し部と、
前記コンテンツデータ受信部で受信したコンテンツを表示する表示制御部と、
前記表示制御部にて表示させたコンテンツに対して複製の命令を受け付けた場合に前記コンテンツデータから付加情報を検出する付加情報検出部と、
前記付加情報検出部で検出した付加情報に基づいて複製処理の制御を行う複製処理制御部と、
を備えることを特徴とするクライアント。
（付記１４）
前記付加情報が、前記コンテンツデータを保存する処理の有効又は無効を示す情報を含むことを特徴とする付記１２又は１３に記載のクライアント。
（付記１５）
前記付加情報が、前記表示制御部に表示されたコンテンツのキャプチャ操作の有効又は無効を示す情報を含むことを特徴とする付記１２又は１３に記載のクライアント。
（付記１６）
前記付加情報が、前記表示制御部に表示されたコンテンツのキャプチャ操作の有効又は無効を示す情報の他に、コンテンツデータのコピー操作の有効又は無効を示す情報を含むことを特徴とする付記１２又は１３に記載のクライアント。
（付記１７）
前記付加情報を電子透かし技術を用いてコンテンツデータに付加したことを特徴とする付記１２又は１３に記載のクライアント。
（付記１８）
画面キャプチャ操作の有効又は無効を制御する情報と、コンテンツデータのコピー操作の有効又は無効を制御する情報とを一つの付加情報として電子透かし技術を用いてコンテンツデータに付加したことを特徴とする付記１６に記載のクライアント。
（付記１９）
画面キャプチャ操作の有効又は無効を制御する情報と、コンテンツデータのコピー操作の有効又は無効を制御する情報とを別々の付加情報として電子透かし技術を用いてコンテンツデータに挿入することを特徴とする付記１６に記載のクライアント。
（付記２０）
ネットワークを介してサーバからコンテンツデータの配信を受けるクライアントにて運用されるプログラムであり、
複製処理に関する付加情報を有した前記コンテンツデータを受信するステップと、
前記コンテンツデータに基づいてコンテンツを表示するステップと、
前記コンテンツに対して複製の命令を受け付けた場合に前記コンテンツデータから付加情報を検出するステップと、
前記付加情報を検出するステップで検出された付加情報に基づいて複製処理の制御を行うステップと、
を前記クライアントに実行させることを特徴とするプログラム。
（付記２１）
配信用の記憶媒体からコンテンツデータを読み出してコンテンツの表示を行うクライアントにて運用されるプログラムであって、
前記記憶媒体から、複製処理に関する付加情報を有したコンテンツデータを読み出すステップと、
前記コンテンツデータに基づいてコンテンツを表示するステップと、
前記コンテンツに対して複製の命令を受け付けた場合に前記コンテンツデータから付加情報を検出するステップと、
前記付加情報を検出するステップで検出された付加情報に基づいて複製処理の制御を行うステップと、
を前記クライアントに実行させることを特徴とするプログラム。
（付記２２）
前記付加情報が、前記コンテンツデータを保存する処理の有効又は無効を示す情報を含むことを特徴とする付記２０又は２１に記載のプログラム。
（付記２３）
前記付加情報が、前記表示制御部に表示されたコンテンツのキャプチャ操作の有効又は無効を示す情報を含むことを特徴とする付記２０又は２１に記載のプログラム。
（付記２４）
前記付加情報が、前記表示制御部に表示されたコンテンツのキャプチャ操作の有効又は無効を示す情報の他に、コンテンツデータのコピー操作の有効又は無効を示す情報を含むことを特徴とする付記２０又は２１に記載のプログラム。
（付記２５）
前記付加情報を電子透かし技術を用いてコンテンツデータに付加したことを特徴とする付記２０又は２１に記載のプログラム。
（付記２６）
画面キャプチャ操作の有効又は無効を制御する情報と、コンテンツデータのコピー操作の有効又は無効を制御する情報とを一つの付加情報として電子透かし技術を用いてコンテンツデータに付加したことを特徴とする付記２０又は２１に記載のプログラム。
（付記２７）
画面キャプチャ操作の有効又は無効を制御する情報と、コンテンツデータのコピー操作の有効又は無効を制御する情報とを別々の付加情報として電子透かし技術を用いてコンテンツデータに挿入することを特徴とする付記２０又は２１に記載のプログラム。
（付記２８）
サーバから配信されたコンテンツデータをクライアントにネットワークを介して中継するゲートウェイであり、
前記コンテンツデータに、複製処理に関する付加情報を挿入する付加情報挿入部を備えたことを特徴とするゲートウェイ。
（付記２９）
前記付加情報が、前記コンテンツデータを複製する処理の有効又は無効を示す情報を含むことを特徴とする付記２８に記載のゲートウェイ。
（付記３０）
前記付加情報が、前記表示制御部に表示されたコンテンツのキャプチャ操作の有効又は無効を示す情報を含むことを特徴とする付記２８に記載のゲートウェイ。
（付記３１）
前記付加情報が、前記表示制御部に表示されたコンテンツのキャプチャ操作の有効又は無効を示す情報の他に、コンテンツデータのコピー操作の有効又は無効を示す情報を含むことを特徴とする付記２８に記載のゲートウェイ。
（付記３２）
前記付加情報を電子透かし技術を用いてコンテンツデータに付加したことを特徴とする付記２８に記載のゲートウェイ。
（付記３３）
画面キャプチャ操作の有効又は無効を制御する情報と、コンテンツデータのコピー操作の有効又は無効を制御する情報とを一つの付加情報として電子透かし技術を用いてコンテンツデータに付加したことを特徴とする付記２８に記載のゲートウェイ。
（付記３４）
画面キャプチャ操作の有効又は無効を制御する情報と、コンテンツデータのコピー操作の有効又は無効を制御する情報とを別々の付加情報として電子透かし技術を用いてコンテンツデータに挿入することを特徴とする付記２８に記載のゲートウェイ。
【００９８】
【発明の効果】
以上説明したように、本発明によれば、複製操作の有効或は無効を示す付加情報によって複製の制御を可能とした状態でコンテンツを配信することができる。これにより、著作権保護に配慮したコンテンツの配信を行えるようにしている。
【図面の簡単な説明】
【図１】本発明に係る第１実施形態としてのコンテンツ配信システムの説明図
【図２】サーバ１０によるコンテンツ配信手順の説明図
【図３】コンテンツ配信に係るクライアント３０の処理手順の説明図
【図４】クライアントにおける複製処理手順の説明図
【図５】クライアントにおける複製処理手順の説明図
【図６】クライアントにおける複製処理手順の説明図
【図７】付加情報の説明図
【図８】本発明に係る第２実施形態としてのコンテンツ配信システムの説明図
【図９】本発明に係る第３実施形態としてのコンテンツ配信システムの説明図
【符号の説明】
１０　　　サーバ
１１　　　コンテンツデータ蓄積部
１２　　　データ読み出し制御部
１３　　　付加情報挿入部
１４　　　コンテンツデータ送信部
３０　　　クライアント
３１　　　コンテンツデータ受信部
３２　　　表示制御部
３３　　　付加情報検出部
３４　　　キーボード
３５　　　入出力ポート
３６　　　ハードディスク
３７　　　演算処理部
３８　　　通信制御部
３９　　　複製処理制御部
４１　　　ディスプレイ
１００　サーバ
２０２　ネットワーク
３００　ゲートウェイ
３０１　復号部
３０２　付加情報挿入部
３０３　符号化部
５００　サーバ
５０４　コンテンツデータ書込部
６００　メディア
７００　クライアント
【図１】
2004062485.tif 000003
【図２】
2004062485.tif 000004
【図３】
2004062485.tif 000005
【図４】
2004062485.tif 000006
【図５】
2004062485.tif 000007
【図６】
2004062485.tif 000008
【図７】
2004062485.tif 000009
【図８】
2004062485.tif 000010
【図９】
2004062485.tif 000011